(57)【要約】【課題】ユーザの起床後の行動に影響を与える事象による影響を考慮したアラーム鳴動時刻が設定され、ユーザが、好ましい時刻に確実に目覚めることができるアラーム機能を有する携帯端末を提供する。【解決手段】所定の情報を配信する配信装置に接続するための通信手段（７）と、ユーザにアラーム鳴動時刻を設定させる時刻にアラームを鳴動させる制御手段（２）と、アラーム鳴動時刻を設定させる時刻におけるアラーム鳴動の際、配信装置から所定の情報を取得する情報取得手段（２）と、この情報取得手段（２）が取得した所定の情報を表示する表示手段（４）とを具備する。【選択図】        図１
2005045390.tif 000002
【特許請求の範囲】
【請求項１】
目覚まし機能を有する携帯端末において、
所定の情報を配信する配信装置に接続する通信手段と、
ユーザにアラーム鳴動時刻を設定させる時刻にアラームを鳴動させる制御手段と、
前記アラーム鳴動時刻を設定させる時刻に、前記配信装置から所定の情報を取得する情報取得手段と、
前記情報取得手段が取得した所定の情報を表示する表示手段と、を具備したことを特徴とする携帯端末。
【請求項２】
目覚まし機能を有する携帯端末において、
所定の情報を配信する配信装置に接続する通信手段と、
ユーザにアラーム鳴動時刻を設定させる時刻にアラームを鳴動させる制御手段と、
前記アラーム鳴動時刻を設定させる時刻に、前記配信装置から所定の情報を取得する第１の情報取得手段と、
前記情報取得手段が取得した所定の情報を表示する表示手段と、
設定されたアラーム鳴動時刻前に、前記配信装置から所定の情報を取得する第２の情報取得手段と、
前記第２の情報取得手段が取得した所定の情報の内容に応じて、前記アラーム鳴動時刻を変更する鳴動時刻変更手段と、を具備したことを特徴とする携帯端末。
【請求項３】
アラーム鳴動時刻が設定された場合には、当該携帯端末のアラーム鳴動音の音量に関わる設定にかかわらず、アラーム鳴動音の音量を大とする音量変更手段を、さらに具備したことを特徴とする請求項１または請求項２に記載の携帯端末。
【請求項４】
前記所定の情報は、ユーザの起床後の行動に影響を与える事象に関する情報であることを特徴とする請求項１から請求項３のいずれかに記載の携帯端末。
【発明の詳細な説明】
【０００１】
【発明の属する技術分野】
本発明は、目覚まし機能を有する携帯端末に関する。
【０００２】
【従来の技術】
いわゆる目覚まし機能は、ユーザが予め設定したアラーム鳴動時刻にアラームを鳴動させ、眠っているユーザを覚醒させるものである。したがって、目覚まし時計などでは、いかにユーザの目を覚ますかをポイントとして開発されることが多い。一方、携帯電話機等の携帯端末では、目覚まし機能をもつ一方でいわゆるマナーモードと称される機能をもつものがあるが、このマナーモードの設定がなされていると一般的にはアラームの鳴動音が発せられなくなる。このことから、このマナーモードの設定の有無にかかわらず、必要な場合にのみ指定時刻にアラームを鳴らすことができるようにした技術もある。
【０００３】
【特許文献１】
特開２００２−３５０５７８号公報
【０００４】
【発明が解決しようとする課題】
ところで、通勤・通学時など、利用する交通手段によっては天候の影響を受ける。例えば自動車を利用した通勤では雨の日の方が晴の日よりも通勤時間はより長くかかることは経験的に知られていることである。しかし、上記のように一般的な目覚まし機能は、天気等のユーザの起床後の行動に影響を与える事象にかかわらず予め設定されたアラーム鳴動時刻にアラームを鳴動させるものであるので、雨や雪が降っていても、こうしたユーザの起床後の行動に影響を与える事象に応じた時間的余裕を持つことができなかった。
【０００５】
そこで、例えば雨や雪が降っていたら、雨や雪の準備をする時間を持てたり、早く出発することで時間的余裕をもち、遅刻などを減らせることができるように、ユーザの起床後の行動に影響を与える事象に応じて、こうした事象に関する情報をもとに、ユーザ自身が最適なアラーム鳴動時刻を設定できる機能や、さらには設定されたアラーム鳴動時刻よりも早くアラームが鳴動するような目覚まし機能が望まれた。
【０００６】
他方、アラーム鳴動時刻の設定自体を忘れてしまうことがあるので、これを防ぐことができる機能も望まれた。
また、上記のようにマナーモードやスピーカ出力の音量が小に設定されている場合はアラームを認識できないことがあるので、これを改善する機能も望まれた。
【０００７】
本発明は、上記の点に鑑みてなされたもので、ユーザの起床後の行動に影響を与える事象による影響を考慮したアラーム鳴動時刻が設定され、ユーザが、好ましい時刻に確実に目覚めることができるアラーム機能を有する携帯端末を提供するものである。
【０００８】
【課題を解決するための手段】
また、本発明は、目覚まし機能を有する携帯端末において、所定の情報を配信する配信装置に接続する通信手段と、ユーザにアラーム鳴動時刻を設定させる時刻にアラームを鳴動させる制御手段と、前記アラーム鳴動時刻を設定させる時刻に、前記配信装置から所定の情報を取得する情報取得手段と、前記情報取得手段が取得した所定の情報を表示する表示手段と、を具備したことを特徴としている。
【０００９】
また、本発明は、目覚まし機能を有する携帯端末において、所定の情報を配信する配信装置に接続する通信手段と、ユーザにアラーム鳴動時刻を設定させる時刻にアラームを鳴動させる制御手段と、前記アラーム鳴動時刻を設定させる時刻に、前記配信装置から所定の情報を取得する第１の情報取得手段と、前記情報取得手段が取得した所定の情報を表示する表示手段と、設定されたアラーム鳴動時刻前に、前記配信装置から所定の情報を取得する第２の情報取得手段と、前記第２の情報取得手段が取得した所定の情報の内容に応じて、前記アラーム鳴動時刻を変更する鳴動時刻変更手段と、を具備したことを特徴としている。
【００１０】
また、本発明は、上記各携帯端末において、アラーム鳴動時刻が設定された場合には、当該携帯端末のアラーム鳴動音の音量に関わる設定にかかわらず、アラーム鳴動音の音量を大とする音量変更手段を、さらに具備したことを特徴としている。
【００１１】
また、本発明は、上記各携帯端末において、前記所定の情報が、ユーザの起床後の行動に影響を与える事象に関する情報であることを特徴としている。
【００１２】
【発明の実施の形態】
以下、本発明の実施の形態を、図面を参照して説明する。
以下に説明する携帯端末としては、いわゆるＣＤＭＡ（符号分割多重接続）方式やＰＤＣ（Ｐｅｒｓｏｎａｌ  Ｄｉｇｉｔａｌ  Ｃｅｌｌｕｌａｒ  Ｓｙｓｔｅｍ）方式などの携帯電話機やＰＨＳ（Ｐｅｒｓｏｎａｌ  Ｈａｎｄｙｐｈｏｎｅ  Ｓｙｓｔｅｍ）のほか、ＰＤＡ（Ｐｅｒｓｏｎａｌ  Ｄｉｇｉｔａｌ  Ａｓｓｉｓｔａｎｔｓ：個人用情報機器）と称される携帯型の端末も含むものとする。なお、上記ＰＤＡの場合、通信手段を内蔵していてもよく、外部から通信手段を接続するものであってもよい。
【００１３】
次に、本発明の第１の実施の形態について、その構成を図１を参照し説明する。図１は、本実施の形態の概略構成を示すブロック図である。
【００１４】
本実施の形態の携帯端末１は、ユーザに対するアラーム設定指示として、アラーム鳴動日時、アラーム鳴動時刻の設定を指示するための時刻（アラーム設定時刻）にアラームを鳴らし、同時に天気予報や交通渋滞情報等のユーザの起床後の行動に影響を与える事象に関する情報を取得して画面に表示することで、ユーザ自身が当該情報を考慮に入れた最適なアラーム鳴動時刻の設定ができるようにするものである。
また、アラームの設定がなされると、当該携帯端末１が、いわゆるマナーモードや音量小の設定となっていても、その設定にかかわらず音量を大にして、確実にアラーム音を聞かせる機能を持つ。
【００１５】
以下では、図１に示す各部の基本的な機能および本実施の形態において本発明に係る特徴的な機能について説明する。
本実施の形態の携帯端末１は、符号２に示す制御部と、符号３に示す操作部と、符号４に示す表示部と、符号５に示すメモリ部と、符号６に示すマイク／スピーカ部と、符号７に示す通信部と、符号８に示す時計部により構成される。
【００１６】
制御部２は、携帯端末１の各部を制御する。また、タイマ割り込みを基に現在時刻を計時する。また、アラーム設定時刻になった場合には、表示部４やマイク／スピーカ部６を制御して、アラーム設定指示のための表示やアラーム音の鳴動を制御する。また、アラーム鳴動時刻になった場合には、マイク・スピーカ部６にアラーム音を鳴動させる。
なお、この制御部２は、メモリおよびＣＰＵ（中央処理装置）等により構成され、その機能を実現するためのプログラム（図示せず）をメモリにロードして実行することによりその機能が実現されるものとする。
【００１７】
操作部３は、アラーム設定時刻、アラーム鳴動日時、アラーム鳴動時刻の設定入力や、その他の入力操作を受ける入力手段である。
表示部４は、アラーム設定を指示する表示（アラーム設定画面）や、無線通信網を介して取得したユーザの起床後の行動に影響を与える事象に関する情報（天気情報、交通渋滞情報、事故情報等）やその他の情報を表示する表示器である。
【００１８】
メモリ部５は、制御部２が実行する各種制御プログラムや使用するデータを格納しており、さらに、ユーザにより設定入力されたアラーム設定時刻・アラーム鳴動時刻等の各種設定情報や、当該携帯端末１が所定の情報を取得するサーバ（配信装置）のアドレス等を保存している。その他、過去のアラーム設定指示の際設定された日付（曜日を含む）、アラーム鳴動時刻、及びこのアラーム設定指示の際無線通信網を介してインターネットから取得しユーザが閲覧した情報（ウェブページ画像等）を履歴情報として保存する。
【００１９】
マイク／スピーカ部６は、アラーム音を出力する。なお、当該携帯端末１が電話機能をもつ場合、このマイク／スピーカ部６を介して音声通話がなされる。
通信部７は、アンテナを介して無線通信網の基地局と接続し無線送信／受信を行う。さらにこの無線通信網を介してインターネットに接続する。
時計部８は、所定の時間間隔毎に制御部２に対しタイマ割り込みを行うタイマである。
【００２０】
次に、このように構成された本実施形態の携帯端末１の動作について、図２から図５を参照し説明する。
【００２１】
ここでは、制御部２が、ユーザにアラーム設定時刻を設定させるための画面を表示部４に表示させているとする。また、インターネット上に存在する天気情報や交通渋滞情報等を取得するためのウェブページのアドレスをメモリ部５に保存しているとする。さらに、過去のアラーム鳴動日時、アラーム鳴動時刻の設定の際、指定された日付、曜日、時間、そのとき閲覧したウェブページの画像を、履歴情報としてメモリ部５に保存しているとする。
【００２２】
以上の状態で、ユーザは、操作部３によりアラームの設定を指示する時間であるアラーム設定時刻を設定する（ステップＳ１０１）。設定されたアラーム設定時刻はメモリ部５に保存される。
アラーム設定時刻が設定されると、制御部２は、現在時刻がアラーム設定時刻と等しいか監視を行う（ステップＳ１０２）。
そして制御部２は、現在時刻とメモリ部５に保存されているアラーム設定時刻が等しくなった時に、マイク／スピーカ部６に対しアラーム音を鳴動させる（ステップＳ１０３）。同時に制御部２は、表示部４にユーザにアラーム鳴動日時、アラーム鳴動時刻を設定させるためのアラーム設定画面を表示させる。
【００２３】
また制御部２は、上記設定画面の表示と同時にメモリ部５に保存しているウェブページのアドレスへ、通信部７を介してアクセスし、その情報を取得して表示部４にさらに表示させる（ステップＳ１０４）。図３、図４にその画面例を示している。図３では、現在時刻と設定時刻（アラーム鳴動日時、アラーム鳴動時刻）と、所定のサーバから取得した情報（同図では全国の天気情報）と、前述の履歴を表示させるための履歴ボタン、設定完了を指示するＯＫボタンと、設定のキャンセルをするキャンセルボタン等が表示されている。図４では、さらにサーバから得た情報（同図では、地域毎の天気情報；この情報は操作部３による所定の操作により得られるものとする）が表示されている。
【００２４】
このように、メモリ部５に保存されたアドレスのウェブページに自動でアクセスするためユーザの手間がかからない。
ユーザは、表示部４に表示された情報（例えば、図３に示す全国の天気情報）を確認し、必要に応じてさらに情報（例えば、図４に示す地域毎の天気情報）の閲覧をする。このように、携帯端末１では、天気情報や交通渋滞情報等、所定の情報を表示するため、ユーザは、当該情報に応じた（当該情報を考慮した）最適なアラーム鳴動時刻を設定することが可能となる。
【００２５】
次に、ユーザは、操作部３からアラーム鳴動日とアラーム鳴動時刻を設定する（ステップＳ１０５）。
あるいは、過去の設定の履歴から同じ設定を選択することもできる。この場合、図３、図４に示す履歴ボタンを押すことにより図５に示す履歴画面に遷移させる。この履歴画面では、履歴情報として保存してある過去に設定した日付、曜日、設定時間、閲覧したウェブページの画像を表示する。この画面上で該当文字をクリックすることで同じ時間等が設定される。例えば、図５で、３月２０日（木）をクリックすると、過去に設定された８：１０がアラーム鳴動時刻として設定される。
【００２６】
以上のようにして、入力設定されたアラーム鳴動日とアラーム鳴動時刻は、メモリ部５に保存されるが、この時ユーザが閲覧していたウェブページの画像、及び設定時間、日付、曜日も履歴情報としてメモリ部５に保存される。
さらに制御部２は、メモリ部５を参照し、アラームが鳴らない、あるいはアラーム音量が小さい設定の場合は有効な音量（例えば、最大の音量）に再設定する（ステップＳ１０６）。なお、この再設定は、設定されたアラーム鳴動時刻直前に行うとよい。
【００２７】
以上のようにして、ユーザがアラーム鳴動時刻の設定をし忘れることなく、かつユーザの起床後の行動に影響を与える事象を考慮した最適なアラーム鳴動時刻の設定が行われる。また、当該アラーム鳴動時刻には、アラーム音として有効な音量でアラームが鳴動する。また、アラーム設定時刻に、ユーザにアラーム鳴動時刻の設定をさせるので、アラーム鳴動時刻を、毎日少しずつ変化させたい時等にも役に立つ。
以上、本発明の一実施の形態について説明した。
【００２８】
次に、上記実施の形態に付加することにより、より効果的となる付加的機能について、その特徴部分を図６を参照し説明する。なお、上記実施の形態と同一部分には同じ符号を附している。なお、共通する基本的な機能についてはその説明を省略する。
【００２９】
以下では、制御部２が実行する各処理を、この制御部２に含まれるアラーム鳴動時刻登録処理部２ａ、条件登録処理部２ｂ、変更時間登録処理部２ｃ、組合せ条件登録処理部２ｄ、タイマ処理部２ｅ、情報取得処理部２ｆ、現在時刻処理部２ｇ、アラーム鳴動時刻変更処理部２ｈが実行するものとして説明する。また、メモリ部５は、記憶する内容別に、登録番号別アラーム鳴動時刻設定メモリ５ａ、条件設定メモリ５ｂ、変更時間設定メモリ５ｃ、組合せ条件設定メモリ５ｄ、現在時刻設定メモリ５ｅのように分けて説明する。
また、操作部３により、前述の現在時刻やアラーム鳴動時刻の設定の他、アラーム鳴動時刻を自動的に変更させるための各種条件等も入力される。
【００３０】
登録番号別アラーム鳴動時刻設定メモリ５ａは、複数のアラーム鳴動時刻を設定可能であり、番号別にアラーム鳴動時刻が設定される。
アラーム鳴動時刻登録処理部２ａは、操作部３から入力されるアラーム鳴動時刻を登録番号別に登録番号別アラーム鳴動時刻設定メモリ５ａに登録する。
【００３１】
条件設定メモリ５ｂは、アラーム鳴動時刻を変更する条件となる、天気情報（該当時刻の天気の情報または天気予報）や交通渋滞情報、事故情報等、ユーザの起床後の行動に影響を与える事象に応じた条件を記憶する。ここでは、この条件として、特に天気に基づく条件である天気条件を用いるものとし、ユーザの起床後の行動に影響を与える事象に関する情報として、特に天気情報を利用するものとして説明する。
条件登録処理部２ｂは、操作部３から入力される天気条件を条件番号別に条件設定メモリ５ｂに登録する。
【００３２】
変更時間設定メモリ５ｃは、アラーム鳴動時刻を変更する時間である変更時間（例えば３０分早く、１０分遅く等）を記憶する。
変更時間登録処理部２ｃは、上記変更時間を時間番号別に変更時間設定メモリ５ｃに登録する。
組合せ条件設定メモリ５ｄは、登録されるアラーム鳴動時刻毎の、上記天気条件と変更時間との組合せを記憶する。
組合せ条件登録処理部２ｄは、上記組合せを、組合せ条件設定メモリ５ｄに登録する。この組合せの登録は、組合せ番号毎に、アラーム鳴動時刻の登録番号と天気条件の条件番号と変更時間の時間番号を登録することにより行う。
【００３３】
タイマ処理部２ｅは、時計部８によって生じる所定の時間間隔のタイマ割り込みを基に、現在時刻を計時するとともに、組合せ条件設定メモリ５ｄに登録された組合せに合った、天気情報を取得する時間を計時し、天気情報を取得する時刻直前に下記の情報取得処理部２ｆに通知する。具体的には、アラーム鳴動時刻に対し、組合せ条件設定メモリ５ｄに登録された組合せに含まれる変更時間分変更した時刻の、例えばその１分前になると下記の情報取得処理部２ｆに通知をする。
【００３４】
情報取得処理部２ｆは、タイマ処理部２ｅから通知される天気情報を取得する時刻に、当該時刻おける、あるいは当該時刻に対応する天気情報を提供するサーバ（配信装置：このサーバのアドレスは予め登録されている）に接続し、このサーバから提供される天気情報を取得する。天気情報は、天気の種類（晴れ、雨、曇り、雪、降水量／降雪量等）を示す予め定められた記号やファイル名等によって与えられる。
【００３５】
また、この情報取得処理部２ｆは、通信部７を介して、天気情報を提供するインターネット上のサーバ（図示せず）に接続するための処理を行うものであるが、上記サーバからの天気情報の提供は、ＰＵＬＬ型情報配信、あるいはＰＵＳＨ型情報配信のどちらでも可能である。
【００３６】
現在時刻設定メモリ５ｅは、現在時刻が設定される。現在時刻処理部２ｇは、タイマ処理部２ｅにより計時される現在時刻を、現在時刻設定メモリ５ｅに登録する。
アラーム鳴動時刻変更処理部２ｈは、情報取得処理部２ｆが取得した天気情報の内容に対応する、組合せ条件設定メモリ５ｄに登録された変更時間の分だけ、登録番号別アラーム鳴動時刻設定メモリ５ａに登録された該当するアラーム鳴動時刻を変更した時刻を追加登録する。
【００３７】
ここで、天気情報を取得する方法について説明する。
予め、使用する天気情報のフォーマットをサービス提供者側と携帯端末１の提供者側とで定めておく。
・ＰＵＬＬ型情報配信の場合：携帯端末１が予め設定されたアラーム鳴動時刻の所定時間前（例えば、１分前）になると、自動的にサービス提供者側のサーバに接続を行い、天気情報を要求して、このサーバから天気情報を取得し解析を行う。
・ＰＵＳＨ型情報配信の場合：携帯端末１が予め天気情報を取得する時刻をサービス提供者側のサーバに通知し、サービス提供者側のサーバが、携帯端末１から通知された時間毎に天気情報を携帯端末１に配信する。そして、携帯端末１は、送られた天気情報を受信し解析を行う。
以下ではＰＵＬＬ型によるものとして説明する。
【００３８】
［ＰＵＬＬ型情報配信の場合の具体例］
携帯端末１から、サービス提供者側のサーバに天気情報取得の要求があれば、天気情報を数値で通知する。例えば、
・「晴れ」の場合：１
・「曇り」の場合：２
・「雨」の場合  ：３
・「雪」の場合  ：４
とする。
【００３９】
あるいは、所定のファイル名を付した画像ファイルで天気情報を通知する。携帯端末１は、配信された画像ファイル名で天気情報の内容を識別する。例えば、１つの画像ファイルを用いて、
・「晴れ」の場合  ：「ｈａｒｅ．ｇｉｆ」
・「曇り」の場合  ：「ｋｕｍｏ．ｇｉｆ」
・「雨」の場合    ：「ａｍｅ．ｇｉｆ」
・「雪」の場合    ：「ｙｕｋｉ．ｇｉｆ」
とし、２つ以上の画像ファイルを用いて、
・「晴れのち曇り」の場合      ：「ｈａｒｅ．ｇｉｆ」＋「ｎｏｃｈｉ．ｇｉｆ」＋「ｋｕｍｏ．ｇｉｆ」
・「晴れときどき曇り」の場合  ：「ｈａｒｅ．ｇｉｆ」＋「ｔｏｋｉｄｏｋｉ．ｇｉｆ」＋「ｋｕｍｏ．ｇｉｆ」
のように画像ファイルの組合せで、天気を表す。
【００４０】
また、天気情報の配信が、ＨＴＭＬ（Ｈｙｐｅｒ  Ｔｅｘｔ  Ｍａｒｋｕｐ  Ｌａｎｇｕａｇｅ）ファイルを用いてなされる場合には、配信されたＨＴＭＬファイルを解析する。このＨＴＭＬファイルには、例えば、
＜ｉｍｇ  ｓｒｃ＝”ｘｘｘ／ａｍｅ．ｇｉｆ”＞
というコードが含まれ、これから天気情報の内容として「雨」を得る。
天気情報の内容としては、降水量／降雪量等の確率（すなわち、天気予報の情報）を含ませてもよい。これらを天気条件として使用する場合は、「晴れ、雨、曇り、雪、降水量／降雪量等」と同様にユーザ自身が設定や変更を行うことができる。この場合も予めそのフォーマットをサービス提供者側と携帯端末１の提供者側とで定めておく。
【００４１】
この例では、通常の天気予報（降水確率｛％｝）のように１０％刻みでの段階設定（０〜１００％）が可能であるとする。また、時間帯も通常の天気予報と同様に時間帯別（例えば、０〜６時／６〜１２時／１２〜１８時／１８〜２４時）に選択可能とする。この時間帯の設定も行う場合には、アラーム鳴動時刻と関連付けられる時間帯（例えば、アラーム鳴動時刻を含む時間帯）が自動あるいは手動で設定され、ＰＵＬＬ型では、この時間帯の情報がサーバに通知され、その時間帯に対応する天気情報が配信される。
【００４２】
このような天気情報は、サーバから以下のようなフォーマットで配信される。
「６−１２／３／８０」
これは、６〜１２時は雨、降水確率：８０％であることを表している。但し、前述の天気を数値で表す場合の例で示したように“３”は“雨”を表す。
ここで、サーバから配信された降水確率データが９０％で、天気条件として指定された降水確率の内容が８０％以上である場合は、アラーム鳴動時刻を変更する（例えば、早める）天気条件を満たしたことになる。
【００４３】
次に、このように構成された本実施形態の携帯端末１の動作について、図７および図８を参照し説明する。
【００４４】
はじめに、ユーザによりアラーム鳴動時刻が操作部３から入力される。入力されたアラーム鳴動時刻は、アラーム鳴動時刻登録処理部２ａにより登録番号別アラーム鳴動時刻設定メモリ５ａに登録される。
次いで、ユーザによりアラーム鳴動時刻を早めるあるいは遅らせる天気条件が操作部３から入力される。入力された天気条件は、条件登録処理部２ｂにより天気条件設定記憶メモリ５ｂに登録される。
【００４５】
次いで、ユーザにより変更時間（時刻変更時間）が操作部３から入力される。入力された変更時間は、変更時間登録処理部２ｃにより変更時間設定メモリ５ｃに登録される。
さらに、ユーザによりアラーム鳴動時刻の登録番号毎に、天気条件と変更時刻の組合せが操作部３から入力される。入力されたアラーム鳴動時刻の登録番号毎の天気条件と変更時間の組合せは、組合せ条件登録処理部２ｄにより組合せ条件設定メモリ５ｄに登録に登録される。
以上の登録処理が、図７のステップＳ２０１の登録操作時に行われる。
【００４６】
ステップＳ２０１の登録操作後、ステップＳ２０２にて、アラーム鳴動時刻変更の条件（すなわち天気条件）と時刻変更時間が登録されているか否か判断をする。
この判断でアラーム鳴動時刻変更の条件と時刻変更時間が登録されていると判定されると（ＹＥＳの判定の場合）、条件が成立した場合のアラーム鳴動時刻（すなわち、変更しない場合のアラーム鳴動時刻に対し、登録された時刻変更時間分だけ変更した時刻）を追加登録する（ステップＳ２０３）。
【００４７】
一方、この判断でアラーム鳴動時刻変更の条件と時刻変更時間が登録されていないと判定されると（ＮＯの判定の場合）、そのまま登録完了する。このケースでは、アラーム鳴動時刻の変更は行われないことになる。
以上の登録処理が終了すると、上記アラーム鳴動時刻の登録番号毎の天気条件と変更時間の組合せに合った、実際に天気情報を取得すべき時間をタイマ処理部２ｅがカウントする。
【００４８】
例えば、図６に示す組合せ１の場合では（以下、この場合を例として説明する）、
・登録番号１のアラーム鳴動時刻は６時４０分。
・天気条件である条件１は、雪。
・登録番号１のアラーム鳴動時刻に対し、条件１が成立したときに、アラーム鳴動の時刻を早める時間設定は３０分。
【００４９】
つまり、登録番号１のアラーム鳴動時刻に対し、条件１の条件が成立した場合（すなわち、条件１として登録された天気情報の内容（雪）と取得した天気情報の内容が一致した場合）、元のアラーム鳴動時刻を早めた６時１０分にアラームを鳴動させるので、この６時１０分が、上記ステップＳ２０３にて登録番号別アラーム鳴動時刻設定メモリ５ａに追加登録されるが、この６時１０分より、例えば１分早い６時９分に天気情報を取得するためのカウントがタイマ処理部２ｅによりなされる。
【００５０】
ここで、天気情報を取得すべき時刻である６時９分（６時１０分の１分前）になると（すなわち、ステップＳ３０１の判断でＹＥＳと判定されると）、タイマ処理部２ｅは、これを情報取得処理部２ｆに通知し、情報取得処理部２ｆが、当該時刻における（あるいは当該時刻に対応する）天気情報を所定のサーバから取得する（ステップＳ３０２）。
【００５１】
取得した天気情報の内容が上記条件１と一致した場合（ステップＳ３０３でＹＥＳと判定される場合）で、現在時刻設定メモリ５ｅに登録された現在時刻が、予め設定されたアラーム鳴動時刻の６時４０分から、条件１の条件（“雪”）が成立した場合に早める時間（時間１）である３０分だけ早めた６時１０分になると、この時刻はステップＳ３０３にて追加登録されたアラーム鳴動時刻であるので、ステップＳ３０４にてＹＥＳと判定されてステップＳ３０５に移行し、ステップＳ３０５にてマイク／スピーカ部６にアラーム鳴動音を発音させる。なおこの場合には、予め設定された（変更をしない場合の）アラーム鳴動時刻の６時４０分になっても、アラーム鳴動音を発音させない。
【００５２】
一方、取得した天気情報の内容が上記条件１と一致しなかった場合（ステップＳ３０３でＮＯと判定される場合）には、６時１０分にはマイク／スピーカ部６にアラーム鳴動音を発音させずに、現在時刻が予め設定されたアラーム鳴動時刻通りの６時４０分になった時点に（このときステップＳ３０６にてＹＥＳと判定される）、ステップＳ３０５にてアラーム鳴動音を発音させる。
以上、本実施の形態の付加的機能について説明した。
【００５３】
なお、上記で説明した各動作フローは、それぞれの動作例を説明するものであり、本発明は、これらの処理の流れに限定されるものではない。
また、以上にて、この発明の実施形態を、図面を参照して詳述してきたが、具体的な構成はこの実施形態に限られるものではなく、この発明の要旨を逸脱しない範囲の構成等も含まれる。
【００５４】
【発明の効果】
本発明によれば、ユーザにアラーム鳴動時刻を設定させる時刻にアラームを鳴動させるので、ユーザがアラーム鳴動時刻の設定自体を忘れてしまうことを防ぐことができる。また、ユーザは、当該携帯端末が取得する情報に応じて好ましいアラーム鳴動時刻を設定することができる。
また、本発明によれば、さらに、予め設定されたアラーム鳴動時刻を、取得した情報に応じて自動的に変更し、変更された時刻にアラームを鳴動させることができる。すなわち、予め設定されたアラーム鳴動時刻頃に、ユーザの起床後の行動に影響を与える事象が生じた場合であっても、設定された時刻よりも例えば早くアラームを鳴動させることができて、ユーザは時間的余裕をもつことができる。
また、本発明によれば、音量を小さくする設定や音量を消す設定のためにアラームが鳴らなくなることを防止することができる。
【図面の簡単な説明】
【図１】本発明の一実施の形態である携帯端末の概略構成を示すブロック図である。
【図２】同実施の形態の動作フローチャートである。
【図３】同実施の形態における設定画面例である。
【図４】同実施の形態における設定画面例である。
【図５】同実施の形態における設定履歴の表示例である。
【図６】同実施の形態の付加的機能に係る構成を示すブロック図である。
【図７】同機能による動作フローチャートである。
【図８】同機能による動作フローチャートである。
【符号の説明】
１…携帯端末
２…制御部（制御手段、情報取得手段、第１，第２の情報取得手段、音量変更手段）
２ａ…アラーム鳴動時刻登録処理部
２ｂ…条件登録処理部
２ｃ…変更時間登録処理部
２ｄ…組合せ条件登録処理部
２ｅ…タイマ処理部
２ｆ…情報取得処理部（第２の情報取得手段）
２ｇ…現在時刻処理部
２ｈ…アラーム鳴動時刻変更処理部（鳴動時刻変更手段）
３…操作部
４…表示部（表示手段）
５…メモリ部
５ａ…登録番号別アラーム鳴動時刻設定メモリ
５ｂ…条件設定メモリ
５ｃ…変更時間設定メモリ
５ｄ…組合せ条件設定メモリ
５ｅ…現在時刻設定メモリ
６…マイク／スピーカ部
７…通信部（通信手段）
８…時計部
【図１】
2005045390.tif 000003
【図２】
2005045390.tif 000004
【図３】
2005045390.tif 000005
【図４】
2005045390.tif 000006
【図５】
2005045390.tif 000007
【図６】
2005045390.tif 000008
【図７】
2005045390.tif 000009
【図８】
2005045390.tif 000010